(57)【要約】      （修正有）【課題】測定エラーが減少し、さらに測定精度が向上する身長測定器を提供する。【解決手段】身長測定器は、測定棒と基盤フレームとを備える。操作制御モジュールと超音波身長測定モジュールは、操作棒および基盤フレームに設けられる。操作制御モジュール、同期信号送信装置、および超音波信号送信装置は、測定棒内に設けられるとともに、同期信号送信装置および超音波信号送信装置は、操作制御モジュールの出力側に接続される。同期信号受信装置、超音波信号受信装置、および演算処理装置は、基盤フレーム内に設けられる。その測定器は基盤フレームとともに測定棒を備えているため、２つの信号が一側から他側へ送信される時間の差を計算することにより、身長を測定した値が得られる。【選択図】図１
0003136598.tif 000002
【実用新案登録請求の範囲】
【請求項１】
被測定者の頭頂と当接する測定棒と、
基盤フレームと、を備え、
操作制御モジュールと、この操作制御モジュールによって制御される超音波身長測定モジュールが、操作棒および基盤フレームに設けられ、
超音波身長測定モジュールは、超音波信号送信装置および超音波信号受信装置と、超音波信号送信装置および超音波信号受信装置の操作を同期させる同期信号送信装置および同期信号受信装置と、身長を求める演算処理装置とを有し、
操作制御モジュール、同期信号送信装置、および超音波信号送信装置は、測定棒内に設けられるとともに、同期信号送信装置および超音波信号送信装置は、操作制御モジュールの出力側に接続され、同期信号受信装置、超音波信号受信装置、および演算処理装置は、基盤フレーム内に設けられ、
同期信号および超音波信号は、送信速度が異なる２つの信号からなり、操作棒は被測定者の頭頂と当接し、同期信号送信装置および超音波送信装置は、操作制御モジュールにより制御され、定期的に同時あるいは順々に同期信号および超音波信号を送信し、基盤フレーム内の同期信号受信装置および超音波信号受信装置は、同期信号および超音波信号をそれぞれ受信し、演算処理装置は、超音波信号の送信時間に基づいて身長の値を求めることを特徴とする身長測定器。
【請求項２】
被測定者の頭頂と当接する測定棒と、
基盤フレームと、を備え、
操作制御モジュールと、この操作制御モジュールによって制御される超音波身長測定モジュールが、測定棒内および基盤フレーム内に設けられ、
超音波身長測定モジュールは、超音波信号送信装置および超音波信号受信装置と、超音波信号送信装置および超音波信号受信装置の操作を同期する同期信号送信装置および同期信号受信装置と、身長を求める演算処理装置とを有し、
操作制御モジュール、同期信号送信装置、超音波信号受信装置、および演算処理装置は、測定棒内に設けられるとともに、同期信号送信装置および超音波信号受信装置は、操作制御モジュールの出力側に接続され、同期信号受信装置および超音波信号送信装置は、基盤フレーム内に設けられ、
同期信号および超音波信号は、送信速度が異なる２つの信号からなり、操作棒は、被測定者の頭頂と当接し、同期信号送信装置は、操作制御モジュールにより制御され、基盤フレームに信号を送信し、基盤フレーム内の同期信号受信装置がその信号を受けることに応答して、基盤フレーム内の超音波信号送信装置は、測定棒内の超音波信号受信装置に信号を送信し、演算処理装置は、超音波信号の送信時間に基づいて身長の値を求めることを特徴とする身長測定器。
【請求項３】
被測定者の頭頂と当接する測定棒と、
基盤フレームと、を備え、
操作制御モジュールと、この操作制御モジュールによって制御される超音波身長測定モジュールが、測定棒内および基盤フレーム内に設けられ、
超音波身長測定モジュールは、超音波信号送信装置および超音波信号受信装置と、超音波信号送信装置および超音波信号受信装置の操作を同期する同期信号送信装置および同期信号受信装置と、身長を求める演算処理装置とを有し、
操作制御モジュール、同期信号受信装置、超音波信号受信装置および演算処理装置は操作棒内に設けられるとともに、同期信号送信装置および超音波信号受信装置は、操作制御モジュールの出力側に接続され、同期信号送信装置および超音波信号送信装置は、基盤フレーム内に設けられ、
同期信号および超音波信号は、送信速度が異なる２つの信号からなり、操作棒は、被測定者の頭頂と当接し、同期信号送信装置は同期信号受信装置に信号を送信し、測定棒内の同期信号受信装置がその信号を受けることに応答して、基盤フレーム内の超音波信号送信装置は、測定棒内の超音波信号受信装置に信号を送り、演算処理装置は、超音波信号の送信時間に基づいて身長を求めることを特徴とする身長測定器。
【請求項４】
基盤フレームは、体重測定装置を有していることを特徴とする請求項１に記載の身長測定器。
【請求項５】
基盤フレームは、被測定者の年齢、あるいは性別のうち少なくとも一つを含むパラメータを入力するパラメータ入力装置と、
両方の足の裏を介して身体のインピーダンスを測定する身体インピーダンス測定装置と、
入力したパラメータおよび測定した身体インピーダンスに基づいて体脂肪量を求める体脂肪演算装置と、をさらに有することを特徴とする請求項１に記載の身長測定器。
【請求項６】
操作制御モジュールは、操作棒が水平であるかどうかを検知する自動水平検知装置と制御装置とを含み、自動水平検知装置の出力側は、制御装置を介して超音波身長測定モジュールに接続され、測定棒が水平であることに応答して、制御装置は、超音波身長測定モジュールを起動させることを特徴とする請求項１乃至５のいずれかに記載の身長測定器。
【請求項７】
測定棒は、コンタクトスイッチを有していることを特徴とする請求項１乃至５のいずれかに記載の身長測定器。
【請求項８】
測定器は、測定結果または演算結果を表示する表示装置をさらに有していることを特徴とする請求項１乃至５のいずれかに記載の身長測定器。
【考案の詳細な説明】
【技術分野】
【０００１】
関連出願の参照
本件出願は、２００７年２月１５日付出願の中国特許出願第200710027007.2「身長測定器」を優先権主張の基礎としており、この中国特許出願の全内容は、本件中に引用して組み込むものとする。
【０００２】
本考案は、身長測定器、特に超音波身長測定器に関する。
【背景技術】
【０００３】
超音波身長測定器は、高い測定精度と利便性を特徴としている。しかしながら、従来の超音波測定器は、超音波信号送信装置と超音波信号受信装置とを含む測定棒を使用し、超音波の往復時間を基にして身長の値を求めている。不都合な点として、前記器具が置かれる床が十分に平坦でない場合、反射してくる超音波が反れ、測定精度が悪化する。
【０００４】
さらに、従来の超音波測定器は、測定棒が直角定規構造を有するように設計され、超音波信号が送信された場合に測定棒が確実に水平になるようにしている。操作中、被測定者は、背もたれを背にして立つ。次に、測定棒が、被測定者の頭頂と当接する。測定棒と背もたれとの間が直角である場合、手動でスイッチを入れると測定装置が超音波信号を送信する。その後、測定装置が信号を受けることによって身長の値を求めることができる。しかしながら、被測定者が背もたれを背にして立たなければならず、超音波測定器を使用する場所が限られ、さらに超音波測定器を手動で操作するため、前記器具の使用は利便性が良くない。
【考案の開示】
【課題を解決するための手段】
【０００５】
従来技術における不都合な点を打開するために、本考案による実施の形態は、より良い測定結果が生じる身長測定器を備えている。本考案による実施の形態の目的を達成するために、採用された技術的解決法を以下に述べる。
【０００６】
本考案による実施の形態の第１の特徴によれば、身長測定器は、被測定者の頭頂と当接する測定棒と、基盤フレームと、を備え、操作制御モジュールと、この操作制御モジュールによって制御される超音波身長測定モジュールは、操作棒および基盤フレームに設けられている。さらに超音波身長測定モジュールは、超音波信号送信装置および超音波信号受信装置と、超音波信号送信装置および超音波信号受信装置の操作を同期させる同期信号送信装置および同期信号受信装置と、身長を求める演算処理装置とを有する。操作制御モジュール、同期信号送信装置、および超音波信号送信装置は、測定棒内に設けられるとともに、同期信号送信装置および超音波信号送信装置は、操作制御モジュールの出力側に接続される。同期信号受信装置、超音波信号受信装置、および演算処理装置は、基盤フレーム内に設けられる。同期信号および超音波信号は、送信速度が異なる２つの信号からなる。操作棒は被測定者の頭頂と当接し、同期信号送信装置および超音波送信装置は、操作制御モジュールにより制御され、定期的に同時あるいは順々に同期信号および超音波信号を送信する。基盤フレーム内の同期信号受信装置および超音波信号受信装置は、同期信号および超音波信号をそれぞれ受信する。演算処理装置は、超音波信号の送信時間に基づいて身長の値を求める。
【０００７】
操作制御モジュールは、操作棒が水平であるかどうかを検知する自動水平検知装置と制御装置とを含み、自動水平検知装置の出力側は、制御装置を介して超音波身長測定モジュールに接続される。測定棒が水平である場合、制御装置は、超音波身長測定モジュールを起動させる。測定棒は、コンタクトスイッチを有している。
【０００８】
また、基盤フレームは、体重測定装置を有していても良い。
【０００９】
さらに、基盤フレームは、年齢、性別などのような被測定者のパラメータを入力するパラメータ入力装置と、両方の足の裏を介して身体のインピーダンスを測定する身体インピーダンス測定装置と、入力したパラメータおよび測定した身体インピーダンスによって体脂肪量を求める体脂肪演算装置とを有していても良い。
【００１０】
さらに、本考案による測定器は、測定結果または演算結果を表示する表示装置を有していることが好ましい。
【００１１】
本考案による実施の形態の第２の特徴によれば、身長測定器は、また、被測定者の頭頂と当接する測定棒と、基盤フレームとを備え、操作制御モジュールと、この操作制御モジュールによって制御される超音波身長測定モジュールは、測定棒内および基盤フレーム内に設けられる。さらに、超音波身長測定モジュールは、超音波信号送信装置および超音波信号受信装置と、超音波信号送信装置および超音波信号受信装置の操作を同期する同期信号送信装置および同期信号受信装置と、身長を求める演算処理装置とを有する。操作制御モジュール、同期信号送信装置、超音波信号受信装置、および演算処理装置は、測定棒内に設けられるとともに、同期信号送信装置および超音波信号受信装置は、操作制御モジュールの出力側に接続される。同期信号受信装置および超音波信号送信装置は、基盤フレーム内に設けられる。同期信号および超音波信号は、送信速度が異なる２つの信号からなる。操作棒は、被測定者の頭頂と当接し、同期信号送信装置は、操作制御モジュールにより制御され、基盤フレームに信号を送信する。基盤フレーム内の同期信号受信装置がその信号を受けると、基盤フレーム内の超音波信号送信装置は、操作棒内の超音波信号受信装置に信号を送信する。演算処理装置は、超音波信号の送信時間に基づいて身長の値を求める。
【００１２】
操作制御モジュールは、操作棒が水平であるかどうかを検知する自動水平検知装置と制御装置とを含み、自動水平検知装置の出力側は、制御装置を介して超音波身長測定モジュールに接続される。測定棒が水平である場合、制御装置は、超音波身長測定モジュールを起動させる。測定棒は、コンタクトスイッチを有している。
【００１３】
さらに、本考案による測定器は、測定結果または演算結果を表示する表示装置を有していることが好ましい。
【００１４】
本考案による実施の形態の第３の特徴によれば、身長測定器は、さらに、被測定者の頭頂と当接する測定棒と、基盤フレームとを備え、操作制御モジュールと、この操作制御モジュールによって制御される超音波身長測定モジュールは、測定棒内および基盤フレーム内に設けられる。超音波身長測定モジュールは、さらに、超音波信号送信装置および超音波信号受信装置と、超音波信号送信装置および超音波信号受信装置の操作を同期する同期信号送信装置および同期信号受信装置と、身長を求める演算処理装置とを有する。操作制御モジュール、同期信号受信装置、超音波信号受信装置および演算処理装置は操作棒内に設けられるとともに、同期信号送信装置および超音波信号受信装置は、操作制御モジュールの出力側に接続される。同期信号送信装置および超音波信号送信装置は、基盤フレーム内に設けられる。同期信号および超音波信号は、送信速度が異なる２つの信号からなる。操作棒は、被測定者の頭頂と当接し、同期信号送信装置は同期信号受信装置に信号を送信する。測定棒内の同期信号受信装置がその信号を受けると、基盤フレーム内の超音波信号送信装置は、測定棒内の超音波信号受信装置に信号を送る。演算処理装置は、超音波信号の送信時間に基づいて身長を求める。
【００１５】
操作制御モジュールは、操作棒が水平であるかどうかを検知する自動水平検知装置と制御装置とを含み、自動水平検知装置の出力側は、制御装置を介して超音波身長測定モジュールに接続される。測定棒が水平である場合、制御装置は、超音波身長測定モジュールを起動させる。測定棒は、コンタクトスイッチを有している。
【００１６】
さらに、測定器は、測定結果または演算結果を表示する表示装置を有していることが好ましい。
【考案の効果】
【００１７】
本考案の実施形態による効果は、この測定器が基盤フレームとともに測定棒を備え、身長を測定した値は、超音波信号が一側から他側へ送信される時間を求めることによって得られるため、超音波信号を反射させることが不要となることである。このことにより、測定エラーが減少し、測定精度が向上する。
【考案を実施するための最良の形態】
【００１８】
さらに、本考案を図および実施の形態として以下に示す。
【００１９】
第１の実施の形態
図１は、本考案による身長測定器の第１の実施の形態の構造を示す概略図である。測定器は、被測定者の頭頂と当接する測定棒１００と基盤フレーム２００とを備え、前記測定棒１００および基盤フレーム２００は、操作制御モジュール３００と、この操作制御モジュール３００によって制御される超音波身長測定モジュール４００とを有している。超音波身長測定モジュール４００は、超音波信号送信装置４０２と、超音波信号受信装置４０４と、同期信号送信装置４０６と、同期信号受信装置４０８と、身長を求める演算処理装置４１０とを有している。操作制御モジュール３００、同期信号送信装置４０６、および超音波信号送信装置４０２は、測定棒１００内に設けられるとともに、同期信号送信装置４０６および超音波信号送信装置４０２は操作制御モジュール３００の出力側に接続される。同期信号受信装置４０８、超音波信号受信装置４０４、および演算処理装置４１０は、基盤フレーム２００内に設けられる。同期信号および超音波信号は、赤外線信号からなる同期信号のように送信速度が異なる２つの信号からなる。同期送信装置４０６および同期受信装置４０８は、無線信号、赤外線信号、あるいは高周波号の送信装置および受信装置であってもよく、超音波信号送信装置および超音波信号受信装置の操作を同期させるために使用される。
【００２０】
操作制御モジュール３００は、コンタクトスイッチを手動で押すことにより、または自動制御という手段により操作される。本実施の形態では、前者が採用される。操作制御モジュール３００は、自動水平検知装置３０２と制御装置３０４とを有し、自動水平検知装置３０２の出力側は、制御装置３０４を介して超音波身長測定モジュール４００に接続される。また、自動水平検知装置３０２は、測定棒１００が水平であるかどうかを検知する。測定棒１００が水平である場合、制御装置３０４は、超音波身長測定モジュール４００を起動して動作させる。自動水平検知装置３０２は、その中に蓄えられた暗い液体（dark fluid）の中にある気泡を検知する水平棒であってもよい。この場合、水平棒の頂部の両側に、光電検出スイッチが設けられている。測定棒１００が水平である場合、気泡は、光電検出スイッチの検出位置の間にあり、その後、光電検出スイッチは、超音波身長測定モジュール４００を動作させるために制御ユニット３０４に起動信号を送る。
【００２１】
さらに、コンタクトスイッチ３０６は、測定棒１００が被測定者の頭頂と当接する場所に設けられている。測定棒１００が頭頂と正確に当接している場合、スイッチ３０６は、強制的に閉じられ、測定棒１００を動作状態にさせる。
【００２２】
本実施の形態の特別な操作処理は、図１および図４の組み合わせを用い、以下に示される。測定棒１００は、被測定者の頭頂に当接する。測定棒１００内の自動水平検知装置３０２が、測定棒１００が水平であると検知する場合、制御装置３０４は、超音波信号送信装置４０２および同期信号送信装置４０６に、定期的に、同時あるいは順々に信号を送信することができる。基盤フレーム２００内の同期信号受信装置４０８および超音波信号受信装置４０４は、同期信号および超音波信号をそれぞれ受信する。演算処理装置４１０は、超音波信号が超音波信号送信装置４０２から超音波信号受信装置４０４に送られる場合の送信時間を測定することにより、測定棒１００と基盤フレーム２００との間の距離を計算する。計算は、さらに効率良くかつ正確な方法において身長を求めるために、空気中の送信速度のような信号のパラメータを組み合わせて行われる。
【００２３】
さらに、基盤フレーム２００内に、体重を測定する体重測定装置２０２が設けられている。
【００２４】
さらに、基盤フレーム２００は、年齢、性別などのような被測定者のパラメータを入力するパラメータ入力装置２０４と、両方の足の裏を介して身体のインピーダンスを測定する身体インピーダンス測定装置２０６と、入力したパラメータおよび身体インピーダンスによって体脂肪量を求める体脂肪演算装置２０８とを有している。体脂肪演算装置２０８および演算処理装置４１０は、同一の単一チップからなっていてもよい。
【００２５】
さらに、測定器は、表示装置４１２を有している。表示装置４１２は、各々の測定モジュール、あるいは装置に接続され、基盤フレーム２００、操作棒１００、あるいは他の外部装置に設けられていてもよい。データ送信は、有線および無線送信で行ってもよい。
【００２６】
第２の実施の形態
また、本考案の実施の形態による測定器は、図２に示されるように構成されている。操作制御モジュール３００、同期信号送信装置４０６、超音波信号受信装置４０４、および演算処理装置４１０は、測定棒内に設けられるとともに、同期信号受信装置４０８および超音波信号送信装置４０２は、基盤フレーム２００内に設けられている。超音波信号が基盤フレーム２００から測定棒へ送られると、身長は、演算処理装置４１０によって計算され、測定棒上に表示される。第１の実施の形態と同様に、操作制御モジュール３００は、図２に示されるように構成される。操作制御モジュール３００は、自動水平検知装置３０２と制御装置３０４とを有し、自動水平検知装置３０２の出力側は、制御装置３０４を介して超音波身長測定モジュール４００に接続される。さらに、コンタクトスイッチ３０６が、前記測定棒１００内に設けられている。
【００２７】
第３の実施の形態
また、本考案の実施の形態による測定器は、図３に示されるように構成されている。操作制御モジュール３００、同期信号受信装置４０８、超音波信号受信装置４０４、および演算処理装置４１０は、操作棒内に設けられるとともに、同期信号送信装置４０６および超音波信号送信装置４０２は、基盤フレーム２００内に設けられている。超音波信号が基盤フレーム２００から測定棒へ送られると、身長は、演算処理装置４１０によって計算され、測定棒上に表示される。第１の実施の形態と同様に、操作制御モジュール３００は、図３に示されるように構成される。操作制御モジュール３００は、自動水平検知装置３０２と制御装置３０４とを有し、自動水平検知装置３０２の出力側は、制御装置３０４を介して超音波身長測定モジュール４００に接続される。さらに、コンタクトスイッチ３０６が、前記測定棒１００内に設けられている。
【００２８】
本考案は、その特別な実施の形態によって示されたが、本考案はそれらの実施の形態に制限されるものではない。本考案に対する修正、変更、あるいは同等物への代替は、本考案の精神から外れることがなく、保護されるべき範囲内である。
【図面の簡単な説明】
【００２９】
【図１】図１は、本考案の第１の実施の形態における身長測定器の構造を示す概略ブロック図である。
【図２】図２は、本考案の第２の実施の形態における身長測定器の構造を示す概略ブロック図である。
【図３】図３は、本考案の第３の実施の形態における身長測定器の構造を示す概略ブロック図である。
【図４】図４は、本考案の実施の形態における身長測定器の使用法を示す概略図である。
【図１】
0003136598.tif 000003
【図２】
0003136598.tif 000004
【図３】
0003136598.tif 000005
【図４】
0003136598.tif 000006